(57)【特許請求の範囲】
【請求項１】
板金製の円筒ハウジングと、中央部に貫通孔と該貫通孔の周縁に周方向に等間隔に形成された複数個の孔と該貫通孔と該孔とを連絡する連通溝を具備するとともに、同一の内径かつ同一の外径を有する円板状の合成樹脂製軸受片を該孔を一致させて軸方向に複数個重層して構成された軸受体と、該軸受体の両側に位置する軸受片の端面に形成された環状凹部に嵌合保持され、該軸受片の貫通孔と一致する貫通孔を有する円板状の合成樹脂製蓋体と、からなり、該円筒ハウジングは該軸受体を該円筒ハウジングの軸線に対し一定量オフセットさせ得る大きさに形成されているとともに、一方の端部に側壁部を有し、他方の端部に組立後カシメられる唇部が形成されており、該軸受体の両側にはそれぞれ円筒ハウジングの側壁部と唇部との間に合成樹脂製当て板が介在されており、該軸受体はその軸線を該円筒ハウジングの軸線に対し一定量オフセットさせて該円筒ハウジング内に配されており、該円筒ハウジングの内周円筒面と該軸受体の外周面との間にオフセット量に見合った横断面略三日月状の隙間が形成され、該隙間により、該軸受体を構成する各軸受片はこのオフセット量に見合った分だけそのラジアル方向に移動可能な調芯機能が付与されており、該軸受体には各軸受片に形成された孔と該蓋体とによって複数個の軸方向に伸びる中空部が形成されているとともに該中空部には潤滑油剤が充填されていることを特徴とする軸受ユニット。
【請求項２】
合成樹脂製の軸方向分割体からなる円筒ハウジングと、中央部に貫通孔と該貫通孔の周縁に周方向に等間隔に形成された複数個の孔と該貫通孔と該孔とを連絡する連通溝を具備するとともに、同一の内径かつ同一の外径を有する円板状の合成樹脂製軸受片を該孔を一致させて軸方向に複数個重層して構成された軸受体と、該軸受体の両側に位置する軸受片の端面に形成された環状凹部に嵌合保持され、該軸受片の貫通孔と一致する貫通孔を有する円板状の合成樹脂製蓋体と、からなり、該円筒ハウジングは、一方の端部に側壁部を有するとともに他方の端部に外周円筒面に連なる環状凹部と該環状凹部に連なる環状凸部からなる係合部が形成されている一方のハウジング分割体と、一方の端部に側壁部を有するとともに他方の端部に内周円筒面に連なる環状凹部と該環状凹部に連なる環状凸部からなる係合部が形成されている他方のハウジング分割体の両係合部の弾性装着により形成されているとともに、該軸受体を該円筒ハウジングの軸線に対し一定量オフセットさせ得る大きさに形成されており、該軸受体はその軸線を該円筒ハウジングの軸線に対し一定量オフセットさせるとともに、両側の端面をハウジング分割体の側壁部に当接させて該円筒ハウジング内に配されており、該円筒ハウジングの内周円筒面と該軸受体の外周面との間にオフセット量に見合った横断面略三日月状の隙間が形成され、該隙間により、該軸受体を構成する各軸受片はこのオフセット量に見合った分だけそのラジアル方向に移動可能な調芯機能が付与されており、該軸受体には各軸受片に形成された孔と該蓋体とによって複数個の軸方向に伸びる中空部が形成されているとともに該中空部には潤滑油剤が充填されていることを特徴とする軸受ユニット。
【発明の詳細な説明】
【０００１】
【発明が属する技術分野】
本発明は、円板状の合成樹脂製軸受片を軸方向に複数個重層して構成した軸受体を円筒ハウジング内において自動調芯可能に保持してなる軸受ユニットに関するものである。
【０００２】
【発明が解決しようとする課題】
円板状の軸受片を複数個重層して構成した軸受体をハウジング内に保持してなる軸受としては、例えば実開昭５１−１０７５５０号公報などにおいて知られている。この従来技術からなる軸受は、軸受片の摺動面を構成する部分に面取り、テーパーあるいは段部を設け、互いに重層した状態において摺動面に環状凹部を形成するようにし、当該環状凹部に固体潤滑剤を充填するものである。
【０００３】
上述した軸受においては、摺動面に固体潤滑剤を充填する溝あるいは凹部を機械加工によって形成する必要がなく、当該機械加工に費やされる労力、時間等を減少させ得るという利点を有するものである。
【０００４】
しかしながら、上述した構成からなる軸受において、該軸受に摺動支持される軸に偏荷重が作用した場合、該軸受と軸との間に片当り現象を生じ、当該軸受の摩耗を促進させるという欠点がある。この軸受と軸との間の片当り現象を回避するには、一般に球面軸受を使用し、当該球面軸受の回転により防止する方法が採られるが、軸受及びハウジングを高精度に形成しなければその機能を十分発揮し得ないという問題がある。
【０００５】
本発明は、前記諸点に鑑みてなされたものであって、その目的とするところは、多くの時間、手間を要する機械加工によることなく潤滑油剤の溜り部を形成することができ、かつ自動調芯可能な軸受ユニットを提供することにある。
【０００６】
【課題を解決するための手段】
本発明の第一の態様の軸受ユニットは、円筒ハウジングと、中央部に貫通孔と該貫通孔の周縁に周方向に等間隔に形成された複数個の孔と該貫通孔と孔とを連絡する連通溝を具備した円板状の合成樹脂製軸受片を該孔を一致させて軸方向に複数個重層して構成された軸受体と、該軸受体の両側に位置する軸受片に保持され、該軸受片の貫通孔と一致する貫通孔を有する円板状の合成樹脂製蓋体と、からなり、該軸受体はその軸線を該円筒ハウジングの軸線に対し一定量オフセットさせて該円筒ハウジング内に配されており、該軸受体を構成する各軸受片はこのオフセット量に見合った分だけそのラジアル方向に移動可能な調芯機能が付与されており、該軸受体には各軸受片に形成された孔と該蓋体とによって複数個の軸方向に伸びる中空部が形成されているとともに該中空部には潤滑油剤が充填されている。
【０００７】
第一の態様の軸受ユニットでは、円板状の合成樹脂製軸受片を複数個重層して構成した軸受体が該軸受体の軸線を円筒ハウジングの軸線に対し一定量オフセットさせて該円筒ハウジング内に配されており、該軸受体を構成する各軸受片はこのオフセット量に見合った分だけそのラジアル方向に移動可能な調芯機能が付与されているため、該軸受体に摺動支持される軸に偏荷重が作用した場合でも、当該調芯機能により軸受体と軸との間に片当り現象等の不具合を回避し得る。
【０００８】
また、第一の態様の軸受ユニットでは、軸受体には各軸受片に形成された孔と該蓋体とによって周方向に複数個の中空部が形成されているとともに該中空部には潤滑油剤が充填されており、該潤滑油剤は該円孔と孔とを連絡する連通溝から該軸受体の内周面と軸との摺動面に供給されるので、該軸受体と軸とは常に潤滑油剤を介しての摺動となり、摺動摩擦抵抗を極力小さくすることができる。
【０００９】
本発明の第二の態様の軸受ユニットは、第一の軸受ユニットにおいて、合成樹脂製蓋体は軸受体の両側に位置する軸受片の端面に形成された環状凹部に嵌合保持されている。
【００１０】
第二の態様の軸受ユニットによれば、軸受体にその周方向に形成された複数個の孔は合成樹脂製蓋体によって閉塞されて中空部が形成されるので、該中空部に充填された潤滑油剤が軸受体の両端面から流出することが回避される。
【００１１】
本発明の第三の態様の軸受ユニットは、第一または第二の軸受ユニットにおいて、軸受体を構成する合成樹脂製軸受片は、ポリアセタール樹脂、ポリアミド樹脂、ポリオレフィン樹脂、ふっ素樹脂から選択される合成樹脂からなる。
【００１２】
第三の態様の軸受ユニットによれば、軸受片を形成する合成樹脂は自己潤滑性を備えており、潤滑油剤と相俟って軸受特性を向上させることができる。
【００１３】
本発明の第四の態様の軸受ユニットは、第一から第三の態様のいずれかの軸受ユニットにおいて、円筒ハウジングは板金製からなり、一方の端部に側壁部を有し、他方の端部に組立後カシメられる唇部が形成されている。
【００１４】
本発明の第五の態様の軸受ユニットは、第四の態様の軸受ユニットにおいて、軸受体の両側にはそれぞれ円筒ハウジングの側壁部と唇部との間に合成樹脂製当て板が介在されている。
【００１５】
第四及び第五の態様の軸受ユニットによれば、円筒ハウジング内に配される軸受体には、円筒ハウジングの唇部のカシメ力が当て板を介して作用するため、該軸受体を構成する軸受片のラジアル方向への移動を妨げることはなく、自動調芯機能を損なうことは回避される。
【００１６】
本発明の第六の態様の軸受ユニットは、第一から第三の態様のいずれかの軸受ユニットにおいて、円筒ハウジングは合成樹脂製の軸方向分割体からなり、一方の端部に側壁部を有する一方のハウジング分割体の他方の端部には外周円筒面に連なる環状凹部と該環状凹部に連なる環状凸部からなる係合部が形成されており、一方の端部に側壁部を有する他方のハウジング分割体の他方の端部には内周円筒面に連なる環状凹部と該環状凹部に連なる環状凸部からなる係合部が形成されており、両係合部の弾性装着により形成されている。
【００１７】
第六の態様の軸受ユニットによれば、円筒ハウジングは軸方向の分割体からなり、該分割体の両係合部の弾性装着により組立てられるため、その組立が容易に行なわれるとともに軸受ユニット全体の軽量化を図ることができる。
【００１８】
【発明の実施の形態】
次に本発明及びその実施の形態を、図に示す好ましい例を参照して更に詳細に説明する。なお、本発明はこの例に何等限定されないのである。
【００１９】
図１から図８において、本例の軸受ユニット１は、円筒ハウジング１０と円板状の合成樹脂製軸受片２０を軸方向に複数個重層して構成された軸受体２とからなる。
【００２０】
円筒ハウジング１０は、内、外周に円筒面１１及び１２を有し、一方の端部に径方向内側に狭窄され、その中央部に貫通孔１３を有する側壁部１４を備え、他方の端部にカシメ固定用の唇部１５を備えている。
【００２１】
円板状の合成樹脂製軸受片２０は、中央部に貫通孔２１と該貫通孔２１の周縁２２に周方向に等間隔に形成された複数個の孔２３と該貫通孔２１と孔２３とを連絡する連通溝２４とを具備している。
【００２２】
該軸受片２０は、中央部の貫通孔２１及び該貫通孔２１の周縁２２に周方向に等間隔に形成された複数個の孔２３を相互に一致させ、軸方向に複数個重層されて軸受体２が構成される。
【００２３】
該軸受体２の両端に位置せしめられる軸受片２０には、その一方の端面の外周縁に環状突条部２５が形成されており、該一方の端面側に該端面と環状突条部２５とで環状凹部２６が形成されている。
【００２４】
該環状凹部２６には、中央部に貫通孔３１を有する円板状の合成樹脂製蓋体３０が嵌合保持されており、該軸受体２には各軸受片２０に形成された孔２３と該蓋体３０とによって軸方向に伸びる複数個の中空部２７が形成される。
【００２５】
該軸受体２に形成された複数個の中空部２７には、グリース等の潤滑油剤が充填され、該潤滑油剤は該中空部２７から連通溝２４を通って各軸受片２０の貫通孔２１によって形成される軸受体２の摺動面に供給される。
【００２６】
このように構成された軸受体２は、該軸受体２の軸線Ｌ１を前記円筒ハウジング１０の軸線Ｌ２に対し径方向に一定量αオフセットさせて該円筒ハウジング１０内に配される。そして、該軸受体２０はその両側においてリング状の合成樹脂製当て板４０を介して該ハウジング１０の唇部１５をカシメ固定することにより該ハウジング１０内に位置せしめられる。該軸受体２は該軸受体２の軸線Ｌ１を前記円筒ハウジング１０の軸線Ｌ２に対し径方向に一定量αオフセットさせて該ハウジング１０内に位置せしめられることにより、該ハウジング１０の内周円筒面１１と軸受体２の外周面との間にオフセット量αに見合った横断面略三日月状の隙間Ｓが形成される。
【００２７】
円筒ハウジング１０の内周円筒面１１と軸受体２の外周面との間に形成された横断面略三日月状の隙間Ｓにより、図３に示すように、該軸受体２に摺動支持される軸５０に偏荷重が作用した場合、該軸受体２を構成する各軸受片２０はそのラジアル方向に移動可能とされており、これにより該軸受体２に自動調芯機能が付与されているため、当該軸５０に作用する偏荷重に起因する片当り現象は回避される。
【００２８】
図９ないし図１１は、円筒ハウジング１０の他の実施の形態とこの円筒ハウジングを使用した軸受ユニットを示すものである。
【００２９】
この実施の形態における円筒ハウジング１００は、合成樹脂製のハウジング分割体１１０、１２０からなる。内、外周に円筒面１１１および１１２を有する一方のハウジング分割体１１０には一方の端部に径方向内側に狭窄され、中央部に貫通孔１１３を有する側壁部１１４が一体に形成されており、その他方の端部には外周円筒面１１２に連なる環状凹部１１５と該環状凹部１１５に連なる環状凸部１１６からなる係合部１１７が形成されている。内、外周に円筒面１２１および１２２を有する他方のハウジング分割体１２０には一方の端部に径方向内側に狭窄され、中央部に貫通孔１２３を有する側壁部１２４が一体に形成されており、その他方の端部には内周円筒面１２１に連なる環状凹部１２５と該環状凹部１２５に連なる環状凸部１２６からなる係合部１２７が形成されている。
【００３０】
ハウジング分割体１１０および１２０は、両係合部１１７及び１２７が弾性装着されることにより円筒ハウジング１００が形成される。
【００３１】
本例の軸受ユニットは、一方の端部に径方向内側に狭窄され、中央部に貫通孔１１３を有する側壁部１１４が一体に形成された一方のハウジング分割体１１０の内周円筒面１１１内に、中央部に貫通孔２１と該貫通孔２１の周縁２２に周方向に等間隔に形成された複数個の孔２３と該貫通孔２１と孔２３とを連絡する連通溝２４とを具備した円板状の合成樹脂製軸受片２０を軸方向に複数個重層して構成された軸受体２が該軸受体２の軸線Ｌ１を該ハウジング分割体１１０の軸線Ｌ２に対し径方向に一定量αオフセットさせ、該軸受体２の一方の端面を該ハウジング分割体１１０の側壁部１１４に当接させて配置させる。他方のハウジング分割体１２０は端部に形成された係合部１２７をハウジング分割体１１０の端部に形成された係合部１１７に弾性装着させるとともに、該軸受体２の他方の端面を該ハウジング分割体１２０の側壁部１２４に当接させて軸受ユニットが組立てられる。
【００３２】
上述した実施例からなる軸受ユニットにおいても、前述した軸受ユニットと同様、該軸受体２に摺動支持される軸５０に偏荷重が作用した場合、該軸受体２を構成する各軸受片２０はそのラジアル方向に移動可能とされており、これにより該軸受体２に自動調芯機能が付与されているため、当該軸５０に作用する偏荷重に起因する片当たり現象は回避される。
【００３３】
【発明の効果】
本発明によれば、軸受体には各軸受片に形成された孔と該蓋体とによって軸方向に伸びる複数個の中空部が形成されているとともに該中空部には潤滑油剤が充填されており、該潤滑油剤は該中空部に連絡して軸受体の摺動面となる内周面に開口する連通溝を通って該内周面に供給されるので、該軸受体と軸とは常に潤滑油剤を介しての摺動となり、摺動摩擦抵抗を極力小さくすることができる。
【００３４】
また、軸受体を構成する軸受片にはそのラジアル方向へ移動可能な自動調芯機能が付与されているため、該軸受体と軸との間に偏荷重に起因する片当りが生じても当該片当りは回避され、偏荷重に起因する異常摩耗等の不具合は回避される。
【図面の簡単な説明】
【図１】本発明の好ましい実施の形態の一例を示す縦断面図である。
【図２】図１に示す例のＡ−Ａ線断面図である。
【図３】図１に示す例の自動調芯状態の縦断面図である。
【図４】図１に示す例の軸受片の正面図である。
【図５】図４のＢ−Ｂ線断面図である。
【図６】図１に示す例の両側に位置する軸受片の正面図である。
【図７】図６のＣ−Ｃ線断面図である。
【図８】図１に示す例の蓋体の正面図である。
【図９】本発明の他の実施の形態を示す縦断面図である。
【図１０】図９に示す分割体からなる円筒ハウジングの縦断面図である。
【図１１】図９に示す例の自動調芯状態の縦断面図である。
【符号の説明】
１  軸受ユニット
２  軸受体
１０  円筒ハウジング
２０  合成樹脂製軸受片
２１  貫通孔
２３  孔
２４  連通溝
２７  中空部
３０  蓋体
Ｓ  隙間
５０  軸
【図１】
0004430752.tif 000002
【図２】
0004430752.tif 000003
【図３】
0004430752.tif 000004
【図４】
0004430752.tif 000005
【図５】
0004430752.tif 000006
【図６】
0004430752.tif 000007
【図７】
0004430752.tif 000008
【図８】
0004430752.tif 000009
【図９】
0004430752.tif 000010
【図１０】
0004430752.tif 000011
【図１１】
0004430752.tif 000012